(57)【要約】【課題】  非動作ディスプレイに対する干渉を防止するディスプレイ制御回路を具備した多重ディスプレイ装置、及びこのための多重ディスプレイ制御方法を提供する。【解決手段】  複数のディスプレイパネルを駆動するために、ディスプレイパネルのカラム駆動回路又はバックライトユニットを共有する多重ディスプレイ装置において、メインディスプレイパネルの動作期間の中に、サブディスプレイパネルに対する残留電流の流入を防止するために、サブディスプレイパネルに対するカラム駆動ライン連結を遮断させるカラムライン選択部及びカラムライン選択制御部が含まれたディスプレイ制御回路を具備した多重ディスプレイ装置が構成される。多重ディスプレイ装置で、漏洩電流によってサブディスプレイパネルで発生し得る残像を防止して、カラムラインの負荷を一定に維持することができるので、電流消費量を減少させ、駆動性能を向上させることができる【選択図】    図３
2006119620.tif 000002
【特許請求の範囲】
【請求項１】
第１ディスプレイパネルの第１ローラインと少なくとも一つの第２ディスプレイパネルの第２ローラインとを駆動するロー駆動回路と、
前記第１ディスプレイパネルの第１カラムラインと前記第２ディスプレイパネルの第２カラムラインとを駆動するカラム駆動回路と、
カラムライン選択信号に応答して、前記カラム駆動回路と前記第１ディスプレイパネル及び前記少なくとも一つの第２ディスプレイパネルのうち、少なくとも一つとの連結を制御するカラムライン選択部と、を含むことを特徴とする多重ディスプレイ装置。
【請求項２】
前記第１ディスプレイパネルのみを動作させる場合において、前記少なくとも一つの第２ディスプレイパネルの前記第２カラムラインと前記カラム駆動回路の連結を遮断するために、前記カラムライン選択信号を発生させるカラムライン選択制御部を含み、前記ロー駆動回路及び前記カラム駆動回路を制御するディスプレイ制御回路を更に具備することを特徴とする請求項１記載の多重ディスプレイ装置。
【請求項３】
前記多重ディスプレイ装置はバックライトユニットを更に含み、前記バックライトユニットは、前記第１ディスプレイパネルと前記第２ディスプレイパネルとの間に位置することを特徴とする請求項２記載の多重ディスプレイ装置。
【請求項４】
前記ロー駆動回路は、前記第１ディスプレイパネルのローラインと前記第２ディスプレイパネルのローラインとを互いに独立的に駆動することを特徴とする請求項２記載の多重ディスプレイ装置。
【請求項５】
前記第１カラムラインのうちの一部は、前記少なくとも一つの第２ディスプレイパネルに共有され、前記共有された第１カラムラインの数は、前記第２ディスプレイパネルの第２カラムラインの数に対応することを特徴とする請求項２記載の多重ディスプレイ装置。
【請求項６】
前記カラムライン選択制御部は、
前記第１ディスプレイパネルと前記第２ディスプレイパネルのうち、駆動されるディスプレイパネルを選択するディスプレイ選択信号に応答して、前記カラムライン選択部を制御するカラムライン選択信号を発生することを特徴とする請求項２記載の多重ディスプレイ装置。
【請求項７】
前記カラムライン選択制御部は、
前記ディスプレイ選択信号又は前記ディスプレイ選択信号の反転信号の電圧レベルを増幅して、前記カラムライン選択信号を発生させることを特徴とする請求項６記載の多重ディスプレイ装置。
【請求項８】
前記カラムライン選択部は、前記カラム駆動回路と前記少なくとも一つの第２ディスプレイパネルとの間に連結され、前記カラムライン選択信号に応答して開閉されるスイッチング素子で構成されることを特徴とする請求項２記載の多重ディスプレイ装置。
【請求項９】
前記第１ディスプレイパネル又は前記少なくとも一つの第２ディスプレイパネルのうちの一つを選択するために、前記カラムライン選択信号を発生させるカラムライン選択制御部を含み、前記ロー駆動回路及び前記カラム駆動回路を制御するディスプレイ制御回路を更に具備することを特徴とする請求項１記載の多重ディスプレイ装置。
【請求項１０】
前記カラムライン選択部は、前記カラムライン選択信号に応答して前記第１ディスプレイパネルと前記第２ディスプレイパネルのうちの一つを前記カラム駆動回路間に選択的に連結させる多重化器を含むことを特徴とする請求項９記載の多重ディスプレイ装置。
【請求項１１】
動作するディスプレイパネルを選択するディスプレイ選択信号の入力を受ける段階と、
前記ディスプレイ選択信号によってカラムライン選択信号を発生させる段階と、
前記カラムライン選択信号に応答して、カラム駆動信号と第１ディスプレイパネルの第１カラムラインと第２ディスプレイパネルの第２カラムラインのうち、少なくとも一つとの連結を制御する段階と、を含むことを特徴とする多重ディスプレイ装置の制御方法。
【請求項１２】
前記第１ディスプレイパネルの第１カラムラインのうち、前記第２ディスプレイパネルの第２カラムラインの数だけ前記第２ディスプレイパネルに共有されることを特徴とする請求項１１記載の多重ディスプレイ装置の制御方法。
【請求項１３】
前記連結を制御する段階は、
前記カラムライン選択信号に応答して前記第１ディスプレイパネルを駆動して、前記カラム駆動信号と前記少なくとも一つ以上の前記第２カラムラインとの間の連結を遮断する段階を含むことを特徴とする請求項１１記載の多重ディスプレイ装置の制御方法。
【請求項１４】
請求項１の多重ディスプレイ装置を具備することを特徴とする多重ディスプレイ無線端末機。
【請求項１５】
前記無線端末機はフォルダ型移動通信端末機であり、
前記第１ディスプレイパネルは、前記移動通信端末機の蓋部の内側に位置し、
前記第２ディスプレイパネルは、前記移動通信端末機の蓋部の外側に位置することを特徴とする請求項１４記載の多重ディスプレイ無線端末機。
【請求項１６】
前記移動通信端末機のフォルダが開いた状態である場合、前記第１ディスプレイパネルのみが動作することを特徴とする請求項１４記載の多重ディスプレイ無線端末機。
【発明の詳細な説明】
【技術分野】
【０００１】
本発明は、多重ディスプレイ装置及び多重ディスプレイ装置の制御方法に関する。より詳細には、複数のディスプレイパネルが駆動回路及びバックライトユニットを共有している多重ディスプレイ装置において、動作中であるディスプレイパネルによって、非動作状態のディスプレイパネルに残留電流が流入し、残像が発生するか、駆動性能が劣化することを防止するためのディスプレイ制御回路を具備した多重ディスプレイ装置の構成及びこのための多重ディスプレイ制御方法に関する。
【背景技術】
【０００２】
最近、携帯用電子機器に採用されるディスプレイ装置は、相対的に多量の情報量を表現することができるメインディスプレイと、相対的に少量の情報量を表現することができるサブディスプレイとを採用したデュアルディスプレイの形態を有する傾向にある。
【０００３】
例えば、前記した携帯用電子機器が移動通信端末機で、フォルダ型を採択していると、前記したメインディスプレイはフォルダの蓋部の内側に位置し、ダイアリング時の電話番号表示又は通話中の通話時間の表示等の役割を果たす。前記したサブディスプレイはフォルダの蓋部の外側に位置して、待機中の電波受信感度、時計、バッテリ残量等の情報を表示する役割を果たす。特に、最近の移動通信端末機は、高機能のカメラモジュール及び動画像機能を搭載しているので、メインディスプレイは比較的高解像度、高いカラー表現力、及び速い応答速度を有するＴＦＴ液晶ディスプレイパネルを採用する。反面、サブディスプレイは、相対的に低解像度及び低いカラー表現力を有するＴＦＴ液晶ディスプレイパネル又はＳＴＮ液晶ディスプレイパネル等を採択している。
【０００４】
このようなデュアルディスプレイ構造は、ユーザの便宜性及び製品の機能を向上させる側面を有するが、２つのディスプレイパネルを装着することによって発生する駆動回路に対する費用増加、電力消費量の増加等の問題が発生する。このようなデュアルディスプレイ構造、及び多重ディスプレイ装置の駆動回路の構成は、次のような構成例に分類することができる。
【０００５】
一つの構成例として、２つのディスプレイパネルに対して、それぞれの駆動回路を別に装着するものである。この場合、２つのディスプレイパネルを独立的に駆動することができるので、多様な機能の応用が可能であり、両ディスプレイパネル間のノイズを最小化することができる長所があるが、全体的な製品のサイズ及び電力消費量が増加する短所がある。
【０００６】
他の構成例として、２つのディスプレイパネルの解像度を合しただけの解像度以上を処理することができる一つの駆動回路を装着するものがある。前記した構成例の長所を有しながらも、全体的な製品のサイズは相対的に減少させることができる方法であるが、相対的に大型で高価なドライバチップを利用することによって、費用が増加するという短所がある。
【０００７】
更に他の構成例として、２つのディスプレイパネルを同時に使用する場合がなければ、メインディスプレイパネルの解像度を処理することができる駆動回路のみを装着して、この駆動回路を共有してサブディスプレイパネルを駆動する構成を有するものがある。メインディスプレイパネルを利用する場合には、メインディスプレイパネルのみを駆動させて、サブディスプレイパネルの表示を中止させる。同様に、サブディスプレイパネルを利用する場合には、サブディスプレイパネルのみを駆動させて、メインディスプレイパネルの表示を中止させる方式で一つの駆動回路を利用する。この場合は、相対的に低費用の構成を有することができるが、１つのドライバチップを共有することによって発生するノイズ問題と配線の寄生キャパシタンスの増加による電力消費量の増加等の短所がある。この場合に属する構成例として、メインディスプレイパネルとサブディスプレイパネルのローライン駆動は、独立的な連結を有し、メインディスプレイパネルとサブディスプレイパネルのカラムライン駆動は、１つの駆動ラインを共有して駆動する方式を有する構成が一般的である。
【０００８】
特に、ＴＦＴディスプレイパネルの場合には、１つの画素に含まれたセルトランジスタのゲート端子にローライン入力が印加されるので、ローライン駆動をゲートライン駆動という。同様に、１つの画素に含まれたセルトランジスタのソース端子にカラムライン入力が印加されるので、カラムライン駆動をソースライン駆動という。従って、ＴＦＴディスプレイ装置の場合に、このような用語は互いに混用して使用することができる。
【０００９】
図１は、このようなワンドライバチップの構造を有するデュアルディスプレイの構成例を示す概念図である。
【００１０】
図１に示すように、デュアルディスプレイが適用された多重ディスプレイ装置は、サブディスプレイパネル１１０、メインディスプレイパネル１３０、ドライバＩＣ１４０、これらが実装されたガラス基板１０１、１０２、フレキシブル印刷基板（ＦＰＣＢ）１２０で構成されている。
【００１１】
図１のディスプレイ装置の構成は、各ディスプレイパネル毎に独立的なドライバＩＣを使用せず、一つのドライバＩＣがＣＯＧタイプ又はＡＳＧを利用して、ガラス基板１０２に実装されている構成を取っている。
【００１２】
ガラス基板１０２にメインディスプレイパネル１３０とドライバＩＣ１４０が実装され、フレキシブル印刷基板１２０によって連結されたガラス基板１０１には、サブディスプレイパネル１１０が実装される。従って、一つのドライバチップでメインディスプレイパネル１３０とサブディスプレイパネル１１０とを駆動するために、前述したように、ドライバチップから出たカラム駆動ラインの一部は、メインディスプレイパネル１３０とサブディスプレイパネル１１０のカラムラインに共有され連結される。各パネルの表示は、現在表示されるディスプレイパネルがメインディスプレイパネルであるか、サブディスプレイパネルであるかが決定されると、これによってロー駆動信号及びカラム駆動信号を制御して、該当ディスプレイパネルを表示する。
【００１３】
一方、液晶ディスプレイパネルの場合には、パネルを構成する画素の光透過率が決定されると、後面で光を透過させるバックライトユニットによって前面に透過された光を通じてユーザが認知することができる画像を構成する。バックライトユニットが占める空間と費用を節減するために、２つ以上のディスプレイパネルを使用する場合には、バックライトユニットを共有する設計が行われる。例えば、２つのディスプレイパネルを利用するフォルダ型携帯用移動通信端末機の場合、フォルダの蓋部の内側にメインディスプレイパネルを設けて、フォルダの蓋部の外側にサブディスプレイパネルを設けることが最近の傾向である。この場合において、フォルダの蓋部に位置したメインディスプレイパネルの後面とサブディスプレイパネルの後面との間にバックライトユニットを搭載することが一般的である。
【００１４】
図２は、デュアルディスプレイ構造を採択した場合において、バックライトユニットの共有例を示す概念図である。
【００１５】
図１のデュアルディスプレイ構造で説明したように、図１のデュアルディスプレイ構造のメインディスプレイパネル１３０とサブディスプレイパネル１１０は、フレキシブル印刷基板１２０で連結されている。従って、図２では、前記したサブディスプレイパネル１１０が１８０°回転して、メインディスプレイパネル１３０の後面とサブディスプレイパネル１１０の後面とが互いに向かい合う構造を示す。この際、メインディスプレイパネル１３０とサブディスプレイパネル１１０との間にバックライトユニット１５０が実装される。バックライトユニット１５０は、両方向に光を放出する特性を有するバックライトユニットが使用され、メインディスプレイパネル１３０とサブディスプレイパネル１１０の両方に光を透過させる。
【００１６】
前述したように、２つのディスプレイパネルが１つのドライバチップの出力を共有し、１つのバックライトユニットを共有して、２つのディスプレイパネルに全部光を透過させる構造においては、次のような問題点がある。
【００１７】
第１に、１つのドライバチップの出力が共有されることによって、即ち、メインディスプレイパネルを駆動するためのカラム駆動ラインの一部がサブディスプレイパネルのカラムラインに対しても共有されるので、メインディスプレイパネルを出力する途中にも微量の漏洩電流がサブディスプレイパネルにも流入される。これは、サブディスプレイパネルの画素を構成するキャパシタに流入されてキャパシタに蓄積され、画素の光透過率が変化しサブディスプレイパネル上に残像を誘発する。ディスプレイパネル毎に独立されたバックライトユニットを使用する場合には、前記の場合にメインディスプレイパネルのバックライトユニットのみをターンオンさせ、サブディスプレイパネルのバックライトユニットはターンオフさせる場合には、このような残像が露出されない。特に、液晶ディスプレイパネルの場合には、バックライトユニットによって透過された光によって画像がユーザに伝達されるためである。
【００１８】
しかし、図２を通じて説明したように、バックライトユニットを共有して使用する場合には、メインディスプレイパネルのみを出力する場合にも、サブディスプレイパネルに対する光の透過が継続されることによって、前記の漏洩電流によってサブディスプレイパネルに誘発された残像がそのままユーザに露出される問題がある。
【００１９】
第２に、前述したように、１つのドライバチップを共有することによって発生するノイズ問題とカラム駆動ラインを共有することによって、配線の寄生キャパシタンス増加による電力消費量の増加等の問題がある。
【発明の開示】
【発明が解決しようとする課題】
【００２０】
前記のような問題点を解決するために、本発明の目的は、複数のディスプレイパネルを利用する多重ディスプレイ装置において、一つのディスプレイパネルの駆動時に、駆動中であるディスプレイパネルを除いた他のディスプレイパネルに流入されることがある残留電流によって誘発される残像を防止し、カラム駆動ラインを共有することによって、電流消費量が増加することを防止するディスプレイ制御回路を具備した多重ディスプレイ装置を提供することにある。
【００２１】
本発明の他の目的は、複数のディスプレイパネルを利用する多重ディスプレイ装置において、１つのディスプレイパネルの駆動時に、駆動中であるディスプレイパネルを除いたディスプレイパネルに流入されることがある残留電流によって誘発される残像を防止し、カラム駆動ラインを共有することによって、電流消費量が増加することを防止する多重ディスプレイ制御方法を提供することにある。
【課題を解決するための手段】
【００２２】
前記目的を達成するための本発明の一形態は、第１ディスプレイパネルの第１ローラインと少なくとも一つの第２ディスプレイパネルの第２ローラインとを駆動するロー駆動回路、前記第１ディスプレイパネルの第１カラムラインと前記第２ディスプレイパネルの第２カラムラインとを駆動するカラム駆動回路、及びカラムライン選択信号に応答して、前記カラム駆動回路と前記第１ディスプレイパネル及び前記少なくとも一つの第２ディスプレイパネルのうち、少なくとも一つとの連結を制御するカラムライン選択部を含むことを特徴とする多重ディスプレイ装置を含む。
【００２３】
一実施例において、前記多重ディスプレイ装置は、前記第１ディスプレイパネルのみを動作させる場合において、前記少なくとも一つの第２ディスプレイパネルの前記第２カラムラインと前記カラム駆動回路の連結を遮断するために、前記カラムライン選択信号を発生させるカラムライン選択制御部を含み、前記ロー駆動回路及び前記カラム駆動回路を制御するディスプレイ制御回路を更に具備する。例えば、前記カラムライン選択部は、前記複数のディスプレイパネルのうち、一つのディスプレイパネルに対する動作中には、非動作ディスプレイパネルに対する残留電流の流入を防止するために、非動作ディスプレイパネルの画素トランジスタのソース端子側にスイッチング素子を具備して、これを制御してカラム駆動ラインの連結を遮断することができる。
【００２４】
一実施例において、前記多重ディスプレイ装置は、前記第１ディスプレイパネル又は前記少なくとも一つの第２ディスプレイパネルのうち、一つを選択するために、前記カラムライン選択信号を発生させるカラムライン選択制御部を含み、前記ロー駆動回路及び前記カラム駆動回路を制御するディスプレイ制御回路を更に具備する。
【００２５】
例えば、前記カラムライン選択部は、前記カラムライン選択信号に応答して、前記第１ディスプレイパネルと前記第２ディスプレイパネルのうち、一つを前記カラム駆動回路間に選択的に連結させる多重化器を含むことができる。
【００２６】
前記他の目的を達成するために、本発明は、動作するディスプレイパネルを選択するディスプレイ選択信号の入力を受ける段階、前記ディスプレイ選択信号によってカラムライン選択信号を発生させる段階、前記カラムライン選択信号に応答して、カラム駆動信号と第１ディスプレイパネルの第１カラムラインと第２ディスプレイパネルの第２カラムラインのうち、少なくとも一つとの連結を制御する段階を具備することを特徴とする多重ディスプレイ制御方法を提供する。
【発明を実施するための最良の形態】
【００２７】
以下、本発明による好ましい実施例を添付図面を参照して詳細に説明する。
【００２８】
図３は、本発明の第１実施例による多重ディスプレイ装置の構成例を示すブロック図である。
【００２９】
図３に例示した多重ディスプレイ装置３００は、２つのディスプレイパネルを装着したデュアルディスプレイ構造を取った構成例である。本発明による他の構成例においては、２つ以上のディスプレイパネルを装着した多重ディスプレイの構成も可能である。
【００３０】
図３の多重ディスプレイ装置３００は、メインディスプレイパネル３２０、サブディスプレイパネル３３０、ディスプレイ制御回路３１０、カラムライン選択制御部４００、カラムライン選択部４１０、及び電源制御回路３６０を含む。
【００３１】
図３の多重ディスプレイ装置３００は、ディスプレイパネル３２０、３３０に対するカラムライン、ローライン駆動のためのカラム駆動回路３４０、及びロー駆動回路３５０を更に含む。ロー駆動回路３５０は、メインディスプレイパネル３２０に対するｎ１個のロー駆動ラインとサブディスプレイパネル３３０に対するｎ２個のロー駆動ラインとを有する。又、カラム駆動回路３４０は、メインディスプレイパネル３２０に対するｍ個のカラム駆動ラインと前記サブディスプレイパネル３３０に対するｋ個のカラム駆動ラインとを有する。
【００３２】
メインディスプレイパネル３２０及びサブディスプレイパネル３３０は、ＴＦＴ液晶ディスプレイパネル、又はＳＴＮ液晶ディスプレイパネルで構成することができる。一般的に、ＴＦＴ液晶ディスプレイパネルがメインディスプレイパネル３２０とサブディスプレイパネル３３０に利用される場合には、前記したカラム駆動回路３４０及びロー駆動回路３５０は、画素を構成するセルトランジスタに対する入力の概念でソースライン駆動回路又はデータライン駆動回路及びゲートライン駆動回路とも言うことができるのは、前述した通りである。
【００３３】
本発明は、メインディスプレイパネルとサブディスプレイパネルとの間のバックライトユニットを共有するか、ディスプレイパネルの表示中に発生する漏洩電流が非動作ディスプレイパネルに流入される場合の残像誘発現象を防止することにその目的がある。従って、従来技術で説明したように、バックライトユニットを共通で使用する他の形態のディスプレイパネルや、動作中であるディスプレイパネルの漏洩電流が非動作ディスプレイパネルに残像を誘発することができる回路構成を有する場合なら、前記したＴＦＴ又はＳＴＮ液晶ディスプレイパネル以外の他の方式のディスプレイパネルが採用された場合にも、本発明を適用することができる。
【００３４】
本発明の多重ディスプレイ装置３００は、例えば、メインディスプレイパネル３２０とサブディスプレイパネル３３０とがそれぞれ３２０×２４０の解像度と１６０×１２８の解像度とを有することができる。
【００３５】
このような場合、ロー駆動回路３５０は、メインディスプレイパネル３２０に対して３２０個のロー駆動ライン出力を有する。又、サブディスプレイパネル３３０に対して１６０個のロー駆動ライン出力を有する。一実施例において、ロー駆動ライン出力は、メインディスプレイパネル３２０とサブディスプレイパネル３３０のそれぞれに対して、別に構成することができる。従って、ロー駆動回路３５０は、メインディスプレイパネル３２０に対する３２０個のロー駆動ラインとサブディスプレイパネル３３０に対する１６０個のロー駆動ラインを合して、計４８０個のロー駆動ライン出力を有する。
【００３６】
カラム駆動回路３４０は、メインディスプレイパネル３２０に対するカラム駆動ライン出力７２０個を有する。これらのうち、サブディスプレイパネル３３０に対するカラム駆動ライン出力３８４個が共有される。即ち、一実施例では、カラム駆動回路３４０が有する全体カラム駆動ライン出力のうち、サブディスプレイパネルのための３８４個のカラム駆動ライン出力をメインディスプレイパネルとサブディスプレイパネルとが共有する。一方、カラム駆動回路３４０で前記したメインディスプレイパネル及びサブディスプレイパネルの水平解像度の３倍数だけカラム駆動ライン出力が必要な理由は、カラー出力のために、一つの画素の当り、Ｒ、Ｇ、Ｂで構成される３つずつの入力が必要であるためである。
【００３７】
特に、本実施例では、サブディスプレイパネル３３０のカラムラインとメインディスプレイパネル３２０のカラムラインとは、カラムライン選択部４１０を通じて直列に連結されており、カラム駆動回路３４０から出たカラムライン出力がメインディスプレイパネル３２０のカラムラインを経て、サブディスプレイパネル３４０のカラムラインに伝達される構造を取っている場合を想定している。このような配線の構造は、配線の単純化のためである。
【００３８】
前記したカラム駆動回路３４０及びロー駆動回路３５０は、ディスプレイパネルの種類と製品の構成例によって、多様な構成要素を有することができる。例えば、カラム駆動回路３４０の場合、フレームメモリ又はシフトレジスタ、ラインラッチ部、レベルシフタ、及びソースドライバ等を含んで構成される。
【００３９】
ディスプレイ制御回路３１０は、一般的に外部から画像に対するデータＤＡＴＡの入力を受け、垂直同期信号ＶＳＹＮＣ及び水平同期信号ＨＳＹＮＣの入力を受けて、ロー駆動回路３５０、カラム駆動回路３４０、及び電源制御回路３６０を制御する役割を果たす。又、ディスプレイ制御回路３１０に対する入力として、メインディスプレイパネル３２０とサブディスプレイパネル３４０とに対するディスプレイ選択信号ＳＥＬを含むことができる。例えば、メインディスプレイパネル３２０を表示するか、サブディスプレイパネル３４０を表示するかを選択するための選択信号の役割を果たす。
【００４０】
電源制御回路３６０は、メインディスプレイパネル３２０とサブディスプレイパネル３３０との共通電極（ＭＡＩＮ_ＶＣＯＭ、ＳＵＢ_ＶＣＯＭ）とカラム駆動回路３４０及びロー駆動回路３５０とに電圧を印加する役割をするもので、同様にディスプレイ制御回路３１０の制御によって動作する。
【００４１】
本発明のディスプレイ制御回路３１０には、前記したロー駆動回路３５０、カラム駆動回路３４０、及び電源制御回路３６０に対する制御に追加して、サブディスプレイパネル３３０に対するカラムライン連結を遮断するための機能が追加される。即ち、多重ディスプレイ装置において、メインディスプレイパネル３２０の動作期間のうち、サブディスプレイパネル３３０に対するカラムライン連結を遮断するカラムライン選択制御部４００がディスプレイ制御回路３１０に追加で含まれる。
【００４２】
カラムライン選択制御部４００は、メインディスプレイパネル３２０とサブディスプレイパネル３３０との間に共有されるカラムラインのサブディスプレイパネル３３０の画素トランジスタに対する連結を遮断するカラムライン選択部４１０を制御する役割を果たす。
【００４３】
カラムライン選択制御部４００は、ディスプレイ選択信号ＳＥＬに応答してカラムライン選択信号Ｓ_ＥＮを発生して、カラムライン選択部４１０を制御する役割を果たす。
【００４４】
カラムライン選択部４１０は、例えば、並列で連結されメインディスプレイパネル３２０のカラムラインの一部とサブディスプレイパネル３３０のカラムラインとそれぞれ連結されたスイッチング素子４１１を含むことができる。
【００４５】
スイッチング素子４１１がＮＭＯＳトランジスタで構成された場合、カラムライン選択制御部４００は、メインディスプレイパネル３２０を動作させる場合には、カラムライン選択信号Ｓ_ＥＮを非活性化させる。従って、カラムライン選択部４１０を構成するスイッチング素子４１１はターンオフされ、これによってサブディスプレイパネル３３０のカラムラインがカラム駆動回路３４０と遮断され、動作中であるメインディスプレイパネル３２０からの残留電流の流入を防止することができる。
【００４６】
反対に、カラムライン選択制御部４００は、メインディスプレイパネル３２０を動作させず、サブディスプレイパネル３３０を動作させる場合には、カラムライン選択信号Ｓ_ＥＮを活性化させる。従って、カラムライン選択部４１０を構成するスイッチング素子４１１はターンオンされ、これによってサブディスプレイパネル３３０のカラムラインをカラム駆動回路３４０と連結させて、サブディスプレイパネル３３０を動作させることができる。
【００４７】
スイッチング素子４１１がＰＭＯＳトランジスタで構成された場合、メインディスプレイパネル３２０を動作させる場合には、カラムライン選択信号Ｓ_ＥＮは活性化され、スイッチング素子４１１をターンオフし、サブディスプレイパネル３３０を動作させる場合には、カラムライン選択信号Ｓ_ＥＮを非活性化させて、カラムライン選択部４１０を構成するスイッチング素子４１１をターンオンさせる。
【００４８】
スイッチング素子４１１は、カラムライン選択信号Ｓ_ＥＮの反転信号が共に入力されるＣＭＯＳトランスミッションゲートでも構成することができるのは、当該技術分野における通常の知識を有する者によっては自明である。
【００４９】
図４は、本発明のディスプレイ制御回路３１０内のカラムライン選択制御部４００の具体例を示すブロック図である。
【００５０】
図３のディスプレイ制御回路３１０に含まれたカラムライン選択制御部４００は、ディスプレイ制御回路３１０に入力されたディスプレイ選択信号ＳＥＬの入力を受けて、カラムライン選択信号Ｓ_ＥＮを発生させる。
【００５１】
カラムライン選択制御部４００は、所定のインバータ４０１を含んでディスプレイ選択信号ＳＥＬに基づいて、カラムライン選択信号Ｓ_ＥＮを発生することもできる。これは、カラムライン選択部４１０を構成するスイッチング素子の形態によっては他の構成を取ることができる。
【００５２】
又、一般的にカラムライン選択部４１０を構成するスイッチング素子４１１は、残留電流の流入を最小化するために、できるだけ高い臨界電圧値を有するように設計される。従って、高い臨界電圧を有するスイッチング素子を駆動するために、カラムライン選択信号Ｓ_ＥＮを高い電圧レベルで駆動するための所定のドライバ４０２を追加に含むこともできる。
【００５３】
又、前述したように、カラムライン選択部４１０を構成するスイッチング素子４１１をＣＭＯＳトランスミッションゲートで構成すると、カラムライン選択制御部４００は、カラムライン選択部４１０のスイッチング素子４１１に反転されたカラムライン選択信号／Ｓ_ＥＮを供給するために、第２インバータ（図示せず）を含むこともできる。
【００５４】
図５は、本発明のためのカラムライン選択部の他の連結例を示すブロック図である。
【００５５】
前記したように、図３で例示した場合においては、カラム駆動回路３４０のカラムライン出力がメインディスプレイパネル３２０のカラムラインを経て直列でサブディスプレイパネル３３０のカラムラインに連結される。しかし、図５では、カラム駆動回路３４０から出力されたカラムラインがメインディスプレイパネル３２０を経ることなく、分岐されメインディスプレイパネル３２０とサブディスプレイパネル３３０とにそれぞれ入力される場合を例示している。
【００５６】
カラムライン選択制御部４００及びカラムライン選択部４１０の構成は、前記した図３及び図４で例示したカラムライン選択制御部とカラムライン選択部の構成と同じである。
【００５７】
一方、図３及び図５の実施例においては、メインディスプレイパネル３２０を駆動させる場合には、サブディスプレイパネル３３０に対する残留電流の流入を防止するために、カラムライン選択制御部４００及びカラムライン選択部４１０を具備して、サブディスプレイパネル３３０の動作を非活性化した。
【００５８】
このような実施例は、カラム駆動回路３４０の一部カラムラインをメインディスプレイパネルとサブディスプレイパネルとが共有して構成される大部分の場合において、メインディスプレイパネル３２０が駆動される場合にサブディスプレイパネル３３０に残留電流が流入される場合にのみ問題になり、サブディスプレイパネル３３０を駆動する場合にメインディスプレイパネル３２０に残留電流が流入される場合は問題にならない場合に主に適用される。
【００５９】
即ち、図３及び図５の実施例は、サブディスプレイパネル３３０の駆動中には、メインディスプレイパネル３２０はユーザに露出されない応用例に適合する。例えば、前述したように、本発明の多重ディスプレイ装置のように、カラム駆動回路のカラムライン出力がメインディスプレイパネルとサブディスプレイパネルとに共有される多重ディスプレイ装置の代表的な応用例は、フォルダ型移動通信端末機である。従って、フォルダ型移動通信端末機の場合に、フォルダの蓋部の外側に位置したサブディスプレイパネルが作動中である場合は、フォルダが閉じた状態であり、この場合にフォルダの蓋部の内側に位置したメインディスプレイパネルは、ユーザに露出されない。
【００６０】
しかし、サブディスプレイパネルの駆動中にメインディスプレイパネルもユーザに露出される応用例においては、サブディスプレイパネルが漏洩電流がメインディスプレイパネルに残像を誘発しないように、サブディスプレイパネルの動作中には、メインディスプレイパネルに対するカラムラインの連結を遮断する必要がある。同様に、メインディスプレイパネルの動作中には、サブディスプレイパネルに対するカラムラインの連結を遮断する必要がある。
【００６１】
図６は、本発明の第２実施例による多重ディスプレイ装置の他の構成例を示すブロック図である。
【００６２】
図６で例示した本発明の多重ディスプレイ装置６００は、動作中であるディスプレイパネルに選択的にカラムラインを連結させる方式で動作する構成例を示すブロック図である。
【００６３】
図６で例示した多重ディスプレイ装置６００は、図３で例示した多重ディスプレイ装置３００と比較して、カラムライン選択制御部４００及びカラムライン選択部４１０を代理したカラムライン選択制御部７００及びカラムライン選択部７１０を含む。
【００６４】
カラムライン選択制御部７００は、ディスプレイ制御回路３１０に入力されたディスプレイ選択信号ＳＥＬの入力を受けて、共有ライン選択信号Ｓ_ＳＥＬを発生させるための回路で構成することができる。
【００６５】
カラムライン選択部７１０は、共有ライン選択信号Ｓ_ＳＥＬに応答して、カラム駆動回路３４０のカラムライン出力を多重化して、メインディスプレイパネル３２０又はサブディスプレイパネル３３０のカラムラインで選択的に連結させる多重化器７１１を含んで構成される。
【００６６】
カラムライン選択部７１０を構成する多重化器７１１は、残留電流の流入を最小化するために、できるだけ高い臨界電圧値を有するスイッチング素子を有するように設計されるのは、図３で例示したカラムライン選択部４１０を構成するスイッチング素子４１１の場合と同じである。従って、多重化器を構成する高い臨界電圧を有するスイッチング素子を駆動するためには、共有ライン選択信号Ｓ_ＳＥＬを高い電圧レベルで駆動するための所定のドライバが追加に含まれる必要がある。
【００６７】
図７及び図８は、本発明の多重ディスプレイ装置を具備した移動通信端末機の概念図である。
【００６８】
図７は、本発明の多重ディスプレイ装置を具備した移動通信端末機の蓋部が閉じた状態を示す斜視図である。
【００６９】
図７を参照すると、フォルダ型の移動通信端末機の蓋部７２０の外側にサブディスプレイパネル７４０が装着される。
【００７０】
図８は、本発明の多重ディスプレイ装置を具備した移動通信端末機の蓋部が開いた状態を示す斜視図である。
【００７１】
同様に、図８に示すように、フォルダ型の移動通信端末機の蓋部７２０の内側にメインディスプレイパネル７５０が装着される。
【００７２】
図７及び図８に示すように、フォルダ型移動通信端末機の蓋部７２０に、サブディスプレイパネル７４０とメインディスプレイパネル７５０の後面が向かい合う状態で実装され、共通されたバックライトユニットがその間の空間に実装される。
【００７３】
前述したように、このような応用例では、図３で例示した多重ディスプレイ装置３００を使用することができる。
【００７４】
このような移動通信端末機の構成において、フォルダ型移動通信端末機の蓋部７２０が閉じた状態、即ち、図７に示された状態でメインディスプレイパネル７５０はターンオフされ、サブディスプレイパネル７４０はターンオンされる。この状態では、サブディスプレイパネル７４０の駆動電流によってメインディスプレイパネル７５０に露出されうる残像は問題にならない。
【００７５】
反対に、フォルダ型移動通信端末機の蓋部７２０が開いた状態、即ち、図８に示される状態でメインディスプレイパネル７５０はターンオンされ、サブディスプレイパネル７４０はターンオフされる。しかし、サブディスプレイパネル７４０の後面に位置したバックライトユニットによってサブディスプレイパネル７４０上の残像がそのまま露出されうる。
【００７６】
従って、ディスプレイ制御回路３１０のカラムライン選択制御部４００が動作して、カラムライン選択部４１０にカラムライン選択信号Ｓ_ＥＮを出力すると、サブディスプレイパネル７４０に対するカラムラインの連結が遮断される。
【００７７】
又は、ディスプレイ制御回路３１０のカラムライン選択制御部７００は、図７の共有ライン選択部７１０に共有ライン選択信号Ｓ_ＳＥＬを提供して、前記サブディスプレイパネル７４０に対するカラムラインの連結を遮断する。
【産業上の利用可能性】
【００７８】
前記のような本発明によると、複数のディスプレイパネルを利用する多重ディスプレイ装置において、動作中であるディスプレイパネルを除いた非動作ディスプレイパネルに流入される残留電流を遮断して、非動作ディスプレイパネルに残像が誘発される現象を防止することができる。
【００７９】
又、複数のディスプレイパネルがカラムラインを共有する場合に、前記のように非動作ディスプレイパネルに対するカラムライン連結を遮断させることによって、カラムラインの負荷を一定に維持することができるので、電流の消費量を減少させ、駆動性能を向上させることができる。
【００８０】
以上、本発明の実施例によって詳細に説明したが、本発明はこれに限定されず、本発明が属する技術分野において通常の知識を有するものであれば本発明の思想と精神を離れることなく、本発明を修正または変更できる。
【図面の簡単な説明】
【００８１】
【図１】ワンドライバチップデュアルディスプレイの構成例を示す概念図である。
【図２】バックライトユニットを共有するデュアルディスプレイ装置の概念図である。
【図３】本発明の一実施例による多重ディスプレイ装置の構成例を示すブロック図である。
【図４】本発明の一実施例による図３のカラムライン選択制御部の構成を示すブロック図である。
【図５】本発明の他の一実施例による多重ディスプレイ装置を示すブロック図である。
【図６】本発明の更に他の一実施例による多重ディスプレイ装置を示すブロック図である。
【図７】本発明の多重ディスプレイ装置が適用された移動通信端末機の概念図である。
【図８】本発明の多重ディスプレイ装置が適用された移動通信端末機の概念図である。
【符号の説明】
【００８２】
３００    多重ディスプレイ装置
３１０    ディスプレイ制御回路
３２０    メインディスプレイパネル
３３０    サブディスプレイパネル
３４０    カラム駆動回路
３５０    ロー駆動回路
３６０    電源制御回路
４００    カラムライン選択制御部
４１０    カラムライン選択部
４１１    カラムライン選択スイッチング素子
ＶＳＹＮＣ    垂直同期信号
ＤＡＴＡ    ディスプレイデータ
ＳＥＬ    ディスプレイ選択信号
Ｓ_ＥＮ    カラムライン選択信号
ＭＡＩＮ_ＶＣＯＭ    メインディスプレイ共通電極
ＳＵＢ_ＶＣＯＭ    サブディスプレイ共通電極
【図１】
2006119620.tif 000003
【図２】
2006119620.tif 000004
【図３】
2006119620.tif 000005
【図４】
2006119620.tif 000006
【図５】
2006119620.tif 000007
【図６】
2006119620.tif 000008
【図７】
2006119620.tif 000009
【図８】
2006119620.tif 000010